(57)【要約】      （修正有）【課題】光配線ユニットに複数設けられた光アダプタの高密度化を容易にする。【解決手段】光アダプタを備えた引き出し部２１を複数有する光配線ユニットであって、前記引き出し部は、第１ラッチ部と、第２ラッチ部４３とを有し、前記引き出し部が所定位置まで引き出されたとき、前記引き出し部の前記第１ラッチ部が、隣接する他の前記引き出し部の前記第２ラッチ部にラッチされることによって、前記引き出し部が前記所定位置に係止されることを特徴とする光配線ユニットである。【選択図】図５
2019086693.tif 000002
【特許請求の範囲】
【請求項１】
光アダプタを備えた引き出し部を複数有する光配線ユニットであって、
前記引き出し部は、第１ラッチ部と、第２ラッチ部とを有し、
前記引き出し部が所定位置まで引き出されたとき、前記引き出し部の前記第１ラッチ部が、隣接する他の前記引き出し部の前記第２ラッチ部にラッチされることによって、前記引き出し部が前記所定位置に係止される
ことを特徴とする光配線ユニット。
【請求項２】
請求項１に記載の光配線ユニットであって、
前記第２ラッチ部は、前記引き出し部が前記所定位置まで引き出されるときの前記引き出し部の移動量の分だけ、前記第１ラッチ部に対して引き出し方向に離れて設けられている
ことを特徴とする光配線ユニット。
【請求項３】
請求項１又は２に記載の光配線ユニットであって、
前記第１ラッチ部は、隣接する他の前記引き出し部に向かって付勢されている
ことを特徴とする光配線ユニット。
【請求項４】
請求項１〜３のいずれかに記載の光配線ユニットであって、
前記第１ラッチ部は、係止部であり、前記第２ラッチ部は、前記係止部が係合する係合穴である
ことを特徴とする光配線ユニット。
【請求項５】
請求項１〜４のいずれかに記載の光配線ユニットであって、
前記引き出し部の前記所定位置での係止を解除する係止解除機構をさらに有する
ことを特徴とする光配線ユニット。
【請求項６】
請求項５に記載の光配線ユニットであって、
前記係止解除機構は、前記第１ラッチ部と前記第２ラッチ部との間に差し込まれる介挿部を有する
ことを特徴とする光配線ユニット。
【発明の詳細な説明】
【技術分野】
【０００１】
本発明は、光配線ユニットに関する。
【背景技術】
【０００２】
光配線盤や光配線箱等を構成する光配線ユニットとして、光部品収納トレイを枠体内に挿入して収容するものが知られている（例えば特許文献１参照）。特許文献１記載の光配線ユニットは、多段に積み重ねられた光部品収納トレイと、個々のトレイを引き出し及び押し込み可能に支持する枠体と、枠体に跨るように取り付けられたストッパとを有する。
【０００３】
特許文献１記載の光配線ユニットによれば、作業者が光部品収納トレイを作業位置まで引き出すと、光部品収納トレイに形成された段差部がストッパの櫛歯に突き当たり、光部品収納トレイをそれ以上引き出せなくなる。一方、作業者が光部品収納トレイの両側面に取り付けられた係止部材を手指で起こすと、光部品収納トレイをそれ以上押し込めなくなる。このため、作業者は、必要な光部品収納トレイのみを引き出して、引出位置で係止することで、光部品収納トレイに設けられた光アダプタへの光コネクタの挿抜作業を容易に行うことができる。
【先行技術文献】
【特許文献】
【０００４】
【特許文献１】特開２００４−１５７４８５号公報
【発明の概要】
【発明が解決しようとする課題】
【０００５】
例えば異なる建物に設置された機器同士を接続するために多心の光ファイバを有する光ケーブルを使用する際、光配線ユニットにおいて複数の光アダプタを備えた光部品収納トレイを枠体に多段に配置することがある。このとき、特許文献１記載のような光配線ユニットでは、ストッパや係止部材の配置による制約を受けて、光アダプタを高密度に配置できないことがあった。すなわち、特許文献１記載のストッパは、枠体に跨るように取り付けられているので、複数の光アダプタを備えた光部品収納トレイの配置の自由度に制限があった。また、高密度に配置された光アダプタから多数の光ファイバケーブルが延び出ているため、これら多数の光ファイバケーブルが邪魔になって係止部材を手指で起こすことが困難となり、操作性が悪くなることがあった。
【０００６】
本発明の幾つかの実施形態は、光配線ユニットに複数設けられた光アダプタの高密度化を容易にすることを目的とする。
【課題を解決するための手段】
【０００７】
本発明の幾つかの実施形態は、光アダプタを備えた引き出し部を複数有する光配線ユニットであって、前記引き出し部は、第１ラッチ部と、第２ラッチ部とを有し、前記引き出し部が所定位置まで引き出されたとき、前記引き出し部の前記第１ラッチ部が、隣接する他の前記引き出し部の前記第２ラッチ部にラッチされることによって、前記引き出し部が前記所定位置に係止されることを特徴とする光配線ユニットである。
【０００８】
本発明の他の特徴については、後述する明細書及び図面の記載により明らかにする。
【発明の効果】
【０００９】
本発明の幾つかの実施形態によれば、光配線ユニットに複数設けられた光アダプタの高密度化を容易にすることができる。
【図面の簡単な説明】
【００１０】
【図１】図１は、第１実施形態の光接続箱１０を利用した光ファイバ配線の様子を示すブロック図である。
【図２】図２は、第１実施形態の光接続箱１０の全体斜視図である。
【図３】図３Ａ及び図３Ｂは、第１実施形態の光配線ユニット２０の斜視図である。
【図４】図４は、係止部２５を分解した第１実施形態の光配線ユニット２０の斜視図である。
【図５】図５Ａ及び図５Ｂは、引き出し部２１の引き出し時における係止部２５部分を示す断面図である。
【図６】図６Ａ及び図６Ｂは、引き出し部２１の押込み時における係止部２５部分を示す断面図である。
【図７】図７は、第２実施形態の光配線ユニット２０の斜視図である。
【図８】図８は、係止部２５の変形例を示す図である。
【発明を実施するための形態】
【００１１】
後述する明細書及び図面の記載から、少なくとも以下の事項が明らかとなる。
【００１２】
光アダプタを備えた引き出し部を複数有する光配線ユニットであって、前記引き出し部は、第１ラッチ部と、第２ラッチ部とを有し、前記引き出し部が所定位置まで引き出されたとき、前記引き出し部の前記第１ラッチ部が、隣接する他の前記引き出し部の前記第２ラッチ部にラッチされることによって、前記引き出し部が前記所定位置に係止されることを特徴とする光配線ユニットが明らかとなる。このような光配線ユニットによれば、光配線ユニットに複数設けられた光アダプタの高密度化を容易にすることができる。
【００１３】
前記第２ラッチ部は、前記引き出し部が前記所定位置まで引き出されるときの前記引き出し部の移動量の分だけ、前記第１ラッチ部に対して引き出し方向に離れて設けられていることが望ましい。これにより、引き出し部を所定位置まで引き出すだけで、第１ラッチ部が隣接する第２ラッチ部にラッチされることができる。
【００１４】
前記第１ラッチ部は、隣接する他の前記引き出し部に向かって付勢されていることが望ましい。これにより、引き出し部を所定位置まで引き出すだけで、第１ラッチ部が隣接する第２ラッチ部にラッチされることができる。
【００１５】
前記第１ラッチ部は、係止部であり、前記第２ラッチ部は、前記係止部が係合する係合穴であることが望ましい。これにより、引き出し部を所定位置まで引き出すだけで、第１ラッチ部が隣接する第２ラッチ部にラッチされることができる。
【００１６】
前記引き出し部の前記所定位置での係止を解除する係止解除機構をさらに有することが望ましい。これにより、引き出すことで所定位置に係止された引き出し部を再び押し込むことができる。
【００１７】
前記係止解除機構は、前記第１ラッチ部と前記第２ラッチ部との間に差し込まれる介挿部を有することが望ましい。これにより、隣接する第２ラッチ部にラッチされた第１ラッチ部のラッチを解除することができる。
【００１８】
＝＝＝第１実施形態＝＝＝
＜光接続箱１０＞
図１は、第１実施形態の光接続箱１０を利用した光ファイバ配線の様子を示すブロック図である。図１では、建物Ｘに設置された複数の機器Ｓと、建物Ｙに設置された複数の機器Ｓとを光ファイバにより接続する場合において、本実施形態の光接続箱１０の使用例を一例として示している。図１では、説明を容易にするために、建物Ｘ及び建物Ｙの機器（機器Ｓ、光接続箱１０、接続部Ｃ等）をそれぞれ同様の構成としているが、建物Ｘと建物Ｙとで機器の構成が異なっていてもよい。なお、図１に示す例において、機器Ｓは例えばサーバラックに収容されたサーバ機器である。但し、機器Ｓはサーバ機器に限られず、その他の機器であってもよい。
【００１９】
図１に示すように、建物Ｘと建物Ｙとの間は、太径光ケーブルＺによって接続されている。太径光ケーブルＺは、多数の光ファイバを有する太径の光ケーブルである。太径光ケーブルＺが有する光ファイバの本数（心数）は、例えば３０００心以上である。但し、太径光ケーブルＺが有する光ファイバの心数はこれに限られない。
【００２０】
また、図１に示すように、太径光ケーブルＺは、接続部Ｃを介して、太径光ケーブルＺより細径の光ケーブル１に接続されている。さらに、太径光ケーブルＺは、複数の光ケーブル１に接続されている。なお、本実施形態では、太径光ケーブルＺと複数の光ケーブル１とは、融着により接続されているが、他の接続方法により太径光ケーブルＺと複数の光ケーブル１とが接続されてもよい。光ケーブル１が有する光ファイバの本数（心数）は、例えば２８８心である。但し、光ケーブル１が有する光ファイバの心数はこれに限られない。
【００２１】
本実施形態では、接続部Ｃを介して太径光ケーブルＺと接続されたそれぞれの光ケーブル１は、光接続箱１０において、光ケーブル１が有する光ファイバ５毎に分岐されている。さらに、本実施形態では、分岐されたそれぞれの光ファイバ５は、光接続箱１０において成端されている。光接続箱１０は、分岐部５０と、光配線ユニット２０とを有する。分岐部５０は、複数の光ファイバ５を有する光ケーブル１を光ファイバ５毎に分岐する部材である。光配線ユニット２０は、分岐部５０によって分岐された光ファイバ５の端部に光コネクタ等を取り付けることで成端する部材である。例えば光ケーブル１が有する光ファイバ５の本数（心数）が２８８心の場合、光ケーブル１は、分岐部５０によって２８８本の単心の光ファイバ５毎に分岐されることになる。また、分岐部５０によって分岐された２８８本の単心の光ファイバ５は、光配線ユニット２０によって、例えば光ファイバ５毎に光コネクタが設けられることになる。なお、図１では、複数の光ファイバ５のうち、一部の光ファイバ５の図示を適宜省略している。
【００２２】
図１に示すように、建物Ｘ及び建物Ｙに設置された機器Ｓは、光配線ユニット２０に設けられた複数の光コネクタのうち、一部の光コネクタと光ファイバ５により接続されている。上記の通り、本実施形態では、光接続箱１０を利用して、建物Ｘに設置された複数の機器Ｓと、建物Ｙに設置された複数の機器Ｓとを光ファイバにより接続している。
【００２３】
＜光配線ユニット２０＞
図２は、第１実施形態の光接続箱１０の全体斜視図である。図３Ａ及び図３Ｂは、第１実施形態の光配線ユニット２０の斜視図である。図４は、係止部２５を分解した第１実施形態の光配線ユニット２０の斜視図である。
【００２４】
以下の説明では、図に示すように各方向を定義する。すなわち、筐体４９に対して引き出し部２１を移動（引き出し又は押込み）させる方向を「前後方向」とし、引き出し部２１を引き出す側を「前」とし、逆側（引き出し部２１を押し込む側）を「後」とする。なお、前後方向のことを「引き出し方向」と称することがある。また、アダプタ部２２において複数の光アダプタ２３が配列される方向を「上下方向」とし、引き出し部２１において係止部２５が設けられる側を「上」とし、逆側を「下」とする。また、前後方向及び上下方向に垂直な方向を「左右方向」とし、前から後を見たときの右側を「右」とし、逆側を「左」とする。なお、左右方向は、複数の引き出し部２１が配列する方向でもある。
【００２５】
前述したように、光接続箱１０は、分岐部５０と、光配線ユニット２０とを有する。図２に示すように、分岐部５０と、光配線ユニット２０とは、筐体４９に設けられている。また、筐体４９がラックＲに取り付けられることで、光接続箱１０は、ラックＲに固定されることになる。複数の光ファイバ５を有する光ケーブル１は、筐体４９内部に設けられた分岐部５０によって、光ファイバ５毎に分岐されている。分岐された光ファイバ５は、筐体４９の内部において光配線ユニット２０に接続されている。前述したように、光配線ユニット２０は、分岐部５０によって分岐された光ファイバ５の端部に光アダプタ等を取り付けることで成端する部材である。図２に示すように、光配線ユニット２０は、光接続箱１０の筐体４９の前側に設けられている。また、光配線ユニット２０のアダプタ部２２（後述）に設けられた複数の光アダプタ２３（後述）には、それぞれ光コネクタ２４を端部に有する光ファイバ５が接続されている。
【００２６】
光配線ユニット２０は、引き出し部２１と、スライドレール部４６とを有する（図３Ａ及び図３Ｂ参照）。なお、図３Ａは、引き出し部２１の引き出し前の様子を示す図である。また、図３Ｂは、引き出し部２１の引き出し後の様子を示す図である。なお、図３Ａ及び図３Ｂでは、光配線ユニット２０が有する複数の引き出し部２１のうち、３つの引き出し部２１のみ図示している。そして、図３Ｂでは、３つの引き出し部２１のうち、中央に位置する引き出し部２１を引き出した際の様子を示している。また、図３Ａ及び図３Ｂ以降の図においては、複数の光アダプタ２３（後述）に接続された光コネクタ２４及び光ファイバ５の図示を省略している。
【００２７】
以下の説明では、図３Ａに示すように、引き出し部２１が引き出されていない状態を「初期状態」又は「押込み状態」と呼ぶことがある。また、図３Ｂに示す中央に位置する引き出し部２１のように、引き出し部２１が引き出された状態を「引き出し状態」と呼ぶことがある。引き出し状態となっている引き出し部２１では、アダプタ部２２（後述）が他の引き出し部２１のアダプタ部２２よりも前側に引き出されているので、作業者は、アダプタ部２２の光アダプタ２３に対する光コネクタ２４の挿抜作業を容易に行うことができる。そして、引き出し状態となっている引き出し部２１を押し込むと、再び初期状態（又は押込み状態）となる。
【００２８】
引き出し部２１は、光接続箱１０の筐体４９に対して移動（引き出し又は押込み）する部材である。本実施形態の光配線ユニット２０では、光接続箱１０の筐体４９に対して前後方向に移動しやすいように、引き出し部２１は左右方向に垂直な板状に形成されている（図３Ａ及び図３Ｂ参照）。また、本実施形態の光配線ユニット２０は、複数の引き出し部２１を備えている。図２に示すように、本実施形態の光配線ユニット２０では、１２個の引き出し部２１が左右方向に配列されている。但し、光配線ユニット２０における引き出し部２１の配列方向や数はこの限りではない。
【００２９】
引き出し部２１は、アダプタ部２２と、係止部２５と、フレーム４２とを備える（図４参照）。
【００３０】
アダプタ部２２は、分岐部５０によって分岐された光ファイバ５の端部を保持する部材である。本実施形態の引き出し部２１では、アダプタ部２２は複数の光アダプタ２３を有する。図４に示すように、アダプタ部２２は４心タイプの光アダプタが上下方向に６個配列された計２４個の光アダプタ２３を有する。但し、引き出し部２１のアダプタ部２２における光アダプタ２３の配列方向や数はこの限りではない。複数の光アダプタ２３を有するアダプタ部２２は、後述するフレーム４２の側板部４２Ｓに取り付けられている。分岐部５０によって分岐された光ファイバ５は、それぞれアダプタ部２２の光アダプタ２３により成端されている。
【００３１】
係止部２５は、引き出し部２１を隣接する他の引き出し部２１に対して係止するための部材である。本実施形態の係止部２５は、引き出し部２１を左側に隣接する他の引き出し部２１に対して係止するための部材である。但し、係止部２５は、引き出し部２１を右側に隣接する他の引き出し部２１に対して係止してもよい。係止部２５は、フレーム４２の側板部４２Ｓに取り付けられており、フレーム４２が光接続箱１０の筐体４９に対して前後方向に移動することで、係止部２５もアダプタ部２２と共に光接続箱１０の筐体４９に対して前後方向に一体的に移動することができる。係止部２５は、本体部２６と、係止片３１と、スプリング３６と、介挿部材３７とを備える（図４参照）。
【００３２】
本体部２６は、係止片３１（後述）と、介挿部材３７（後述）とを収容する部材である。また、本体部２６は、初期状態（又は押込み状態）の引き出し部２１を初期状態（又は押込み状態）のまま筐体４９に対して保持させる部材でもある。本実施形態の係止部２５では、本体部２６は、係止片３１（後述）及び介挿部材３７（後述）を保持したまま、本体部２６の右端面において後述するフレーム４２の側板部４２Ｓに取り付けられている。本体部２６は、係止片収容孔２７と、介挿部収容孔２８と、挿入部４５とを有する（図４参照）。
【００３３】
係止片収容孔２７は、係止片３１（後述）を収容する部位である。図４に示すように、係止片収容孔２７は、左右方向に連通する開口であり、係止片３１は本体部２６に対して左右方向に移動可能に収容されている。係止片収容孔２７の上面及び下面には、ガイド溝２７Ｇが形成されている。ガイド溝２７Ｇは、本体部２６に対して係止片３１を左右方向に移動可能な状態で係止片３１のガイド部３４と係合される。このため、ガイド溝２７Ｇは、係止片収容孔２７の上面及び下面において一対ずつ左右方向に延在している。但し、図４に示すように、ガイド溝２７Ｇは、係止片収容孔２７の上面及び下面における左側の一部を除いて形成されている。つまり、ガイド溝２７Ｇは、係止片収容孔２７の上面及び下面において左側の一部には形成されていない。したがって、所定の位置においてガイド部３４がガイド溝２７Ｇの端部に当接することで係止片３１の移動を規制する。これにより、左側に付勢された係止片３１（後述）が係止片収容孔２７の左側に抜けてしまうことを抑制することができる。
【００３４】
介挿部収容孔２８は、介挿部３７（後述）を収容する部位である。図４に示すように、介挿部収容孔２８は、前後方向に設けられた開口であり、介挿部３７は本体部２６に対して前後方向に移動可能に収容されている。
【００３５】
挿入部４５は、引き出し部２１を初期状態（又は押込み状態）のまま筐体４９に対して保持させる部位である。挿入部４５は、図３Ａ及び図３Ｂに示すように、筐体４９に取り付けられたクリップ部４９Ａに挟まれて保持されることにより、引き出し部２１を初期状態（又は押込み状態）のまま筐体４９に対して保持する。挿入部４５がクリップ部４９Ａに挟まれて保持された引き出し部２１は、作業者が引き出し部２１を引き出す操作をすることにより、挿入部４５がクリップ部４９Ａから外れて、引き出し部２１を引き出すことができる。
【００３６】
係止片３１は、引き出し部２１を隣接する他の引き出し部２１に対して係止するための部位である。係止片３１は、隣接する他の引き出し部２１のフレーム４２（側板部４２Ｓ）に設けられた係合穴部４３（後述）にラッチすることで、引き出し部２１を係止する。係止片３１は、本体部２６の係止片収容孔２７に収容されている。係止片３１は、係合突起３５と、介挿孔３３と、ガイド部３４とを有する。
【００３７】
係合突起３５は、後述するフレーム４２の側板部４２Ｓの係合穴部４３（図３Ａ及び図３Ｂ参照）にラッチすることにより、引き出し部２１を隣接する他の引き出し部２１に対して係止するための部位である。係合突起３５は、後方ほど左側に突出するように形成されており、係合突起３５が係合穴部４３に対して左側（ラッチする側）に移動ことで、引き出し部２１が後側に押し込むことを規制するようになっている。
【００３８】
介挿孔３３は、介挿部３７（後述）の先端が挿入される部位である。介挿孔３３に介挿部３７の先端が当接することで、係止片３１を右側（ラッチを解除する側）に押圧することができる。すなわち、介挿孔３３には、後方ほど左側に突出する係止片テーパ面３３Ｓが形成されており、介挿部３７の先端には、後方ほど左側に突出する介挿部テーパ面４０（後述）が形成されている。係止片テーパ面３３Ｓに介挿部テーパ面４０が当接することで、介挿部３７を後側に押すと、係止片３１を右側（ラッチを解除する側）に押す力が付与されることになる（後述）。
【００３９】
ガイド部３４は、係止片３１の左右方向の移動をガイドする部位である。ガイド部３４は、本体部２６に対して係止片３１を左右方向に移動可能な状態でガイド溝２７Ｇに係合する。ガイド部３４は、係止片３１の上面及び下面において一対ずつ設けられている。
【００４０】
スプリング３６は、係止片３１を左側（隣接する他の引き出し部２１の側、ラッチする側）に押圧するための弾性部材である。スプリング３６は、係止片３１のスプリング受け部３２と、フレーム４２の側板部４２Ｓとの間に配置されている。具体的には、スプリング３６の左端部は係止片３１のスプリング受け部３２に保持されており、スプリング３６の右端部はフレーム４２の側板部４２Ｓに保持されている。
【００４１】
介挿部材３７は、引き出し部２１が隣接する他の引き出し部２１に対して係止された状態（以下、「係止状態」と呼ぶことがある）から係止されていない状態（以下、「係止解除状態」と呼ぶことがある）に解除する部材である。介挿部材３７は、係止片３１が、隣接する他の引き出し部２１のフレーム４２（側板部４２Ｓ）に設けられた係合穴部４３にラッチされた状態（以下、「ラッチ状態」と呼ぶことがある）からラッチされていない状態（以下、「ラッチ解除状態」と呼ぶことがある）に解除する。介挿部材３７は、本体部２６の介挿部収容孔２８に収容されている。介挿部材３７は、突起部３９と、介挿部テーパ面４０とを有する（図４参照）。
【００４２】
突起部３９は、介挿部材３７の前抜けを防止する部位である。突起部３９は、介挿部材３７から左側に突出した部位である。突起部３９は、本体部２６の当接部３０に当接することで、介挿部材３７の前側の移動を規制する（図５Ａ及び図５Ｂ等参照）。
【００４３】
介挿部テーパ面４０は、係止片３１の係止片テーパ面３３Ｓに当接する部位である。介挿部テーパ面４０は、後方ほど左側に突出するテーパ面である。介挿部テーパ面４０は、係止片３１の係止片テーパ面３３Ｓに当接することで、介挿部３７を後側に押すと、係止片３１を右側（ラッチを解除する側）に押す力が付与されることになる（後述）。
【００４４】
フレーム４２は、アダプタ部２２及び係止部２５を保持する部材である。フレーム４２の上下端には、スライドレール部４６の引き出し側レール４８が取り付けられ、引き出し側レール４８が筐体４９に取り付けられた筐体側レール４７に対して前後方向に移動することで、フレーム４２は筐体４９に対して前後方向に移動することができる。また、前述したようにアダプタ部２２及び係止部２５は、フレーム４２の側板部４２Ｓに保持されているので、アダプタ部２２及び係止部２５もフレーム４２と一体的に前後方向に移動することができる。
【００４５】
フレーム４２は、係合穴部４３と、ケーブル束ね部４４とを有する。係合穴部４３は、フレーム４２の側板部４２Ｓに設けられ、前述の係止部２５の係止片３１の係合突起３５がラッチされる凹部である。ケーブル束ね部４４は、アダプタ部２２と接続する複数の光ファイバ５を束ねる部位である。図２に示すように、アダプタ部２２と接続する複数の光ファイバ５は、下方に向かって垂れて、ケーブル束ね部４４としてフレームの一部に形成された開口に通される。これにより、アダプタ部２２と接続する複数の光ファイバ５がばらばらにならず、光コネクタの挿抜作業等の作業性を向上させることができる。
【００４６】
＜引き出し部２１の引き出し動作＞
図５Ａ及び図５Ｂは、引き出し部２１の引き出し時における係止部２５部分を示す断面図である。なお、図５Ａ及び図５Ｂでは、係止片３１の動作を図示するために、スプリング３６の図示を省略している（実際には、係止片３１のスプリング受け部３２と、側板部４２Ｓとの間に配置されている）。
【００４７】
図５Ａは、初期状態（引き出し部２１が引き出されていない状態）の引き出し部２１の様子を示している。つまり、前述した図３Ａの引き出し部２１の様子を示している。このとき、係止片３１は係止片収容孔２７の内部で最も右側に収容された状態であり、隣接する左側の側板部４２Ｓに係合突起３５が当接している。スプリング３６は圧縮された状態でスプリング受け部３２と、側板部４２Ｓとの間に配置されており、係止片３１はスプリング３６により左側へ押圧力を受けた状態となっている。
【００４８】
なお、初期状態から後述する引き出し状態（引き出し部２１が引き出された状態）の途中においては、引き出し部２１（アダプタ部２２、係止部２５及びフレーム４２）が筐体４９に対して前側に移動する。係止片３１の係合突起３５は、隣接する左側の側板部４２Ｓに当接しながら、係止片３１を含む引き出し部２１が前側に移動することになる。
【００４９】
図５Ｂは、引き出し状態（引き出し部２１が引き出された状態）の引き出し部２１の様子を示している。なお、図５Ｂでは、３つある引き出し部２１のうち、中央の引き出し部２１の引き出し状態を示している。つまり、前述した図３Ｂの引き出し部２１の様子を示している。引き出し部２１が所定の位置まで引き出されると、係止部２５の係止片３１が、左隣の引き出し部２１の側板部４２Ｓに設けられた係合穴部４３にラッチする。前述したように、係止片３１はスプリング３６により左側へ押圧力を受けた状態となっているため、引き出し部２１が所定の位置まで引き出され、係止片３１が左隣の引き出し部２１の側板部４２Ｓに設けられた係合穴部４３の位置まで来ると、係止片３１が左側（以下、「ラッチ方向」と呼ぶことがある）に移動し、係止片３１が係合穴部４３にラッチすることになる。係止片３１が係合穴部４３にラッチすることで、引き出し部２１が後側に押し込むことを規制するようになっている。つまり、引き出し部２１が左隣の引き出し部２１に対して係止される。このように、引き出し部２１を引き出す操作を行うだけで、係止片３１が係合穴部４３にラッチされ、引き出し部２１が左隣の引き出し部２１に対して係止されるので、操作性を向上させることができる。
【００５０】
＜引き出し部２１の押込み動作＞
図６Ａ及び図６Ｂは、引き出し部２１の押込み時における係止部２５部分を示す断面図である。なお、図６Ａ及び図６Ｂにおいても、係止片３１の動作を図示するために、スプリング３６の図示を省略している（実際には、係止片３１のスプリング受け部３２と、側板部４２Ｓとの間に配置されている）。以下では、引き出し部２１が左隣の引き出し部２１に対して係止された状態（係止状態）を解除する係止解除機構（介挿部３７）の動作について説明する。
【００５１】
図６Ａは、介挿部３７の介挿部テーパ面４０が、係止片３１の係止片テーパ面３３Ｓに当接したときの様子を示している。作業者が介挿部３７の前端に設けられたボタン３８を後側に押圧することで、介挿部３７が後側に移動し、介挿部テーパ面４０が、係止片３１の係止片テーパ面３３Ｓに当接することになる。前述したように、介挿部テーパ面４０は、後方ほど左側に突出するように形成されており、係止片３１の係止片テーパ面３３Ｓも同様に後方ほど左側に突出する面である。これにより、さらに作業者がボタン３８を後側に押圧すると、介挿部３７が後側に押されることで、係止片３１を右側に押す力が付与されることになる
【００５２】
図６Ｂは、係止片３１の係合突起３５の係合穴部４３へのラッチが外れた様子を示している。係止片３１を右側に押す力により、係止片３１が右側（以下、「ラッチ解除方向」と呼ぶことがある）に移動し、係止片３１の係合突起３５の係合穴部４３へのラッチが外れることになる。これにより、引き出すことで所定位置に係止された引き出し部２１を再び押し込むことができる。つまり、引き出し部２１が左隣の引き出し部２１に対する係止が解除される。このように、ラッチ解除のために介挿部３７を操作する方向（押し込む方向）が引き出し部２１を押し込む方向と一致しているため、操作性を向上させることができる。
【００５３】
なお、引き出し状態から引き出し部２１を再び押し込むと、再び初期状態（押込み状態）となる（図５Ａ参照）。引き出し状態の際、押し込む予定の引き出し部２１の右隣の引き出し部２１においては、係止片３１が押し込む予定の引き出し部２１の側板部４２Ｓに当接せず、係止片収容孔２７から係止片３１が突出した状態となっている。ここから引き出し状態の引き出し部２１を再び押し込むと、再び係止片３１が側板部４２Ｓに当接する状態となる。本実施形態の係止部２５では、係止片３１の係合突起３５が、後方ほど左側に突出する（前方ほど右側に凹む）ように形成されているので、側板部４２Ｓの縁が係止片３１の角に引っかからずに再び係止片３１が側板部４２Ｓに当接する状態に移行できる。
【００５４】
＝＝＝第２実施形態＝＝＝
図７は、第２実施形態の光配線ユニット２０の斜視図である。前述の第１実施形態の光配線ユニット２０では、複数の引き出し部２１が左右方向に配列されていた。しかし、本実施形態の光配線ユニット２０では、複数の引き出し部２１が上下方向に配列されていてもよい。これにより、アダプタ部２２の複数のアダプタ２３が左右に並ぶことになり、光アダプタから延び出た多数の光ファイバケーブルが下方に垂れることになる。したがって、光ファイバケーブルが邪魔にならずに、アダプタ２３への光コネクタ２４の挿抜作業を容易に行うことができる。なお、本実施形態の光配線ユニット２０においても、係止部２５を有することにより、隣接する（上部又は下部に隣接する）他の引き出し部２１に対して引き出し部２１を係止することができる。
【００５５】
＝＝＝小括＝＝＝
上記実施形態の光配線ユニット２０は、光アダプタ２３を備えた引き出し部２１を複数有する光配線ユニット２０である。引き出し部２１は、係止部２５（第１ラッチ部）と、係合穴部４３（第２ラッチ部）とを有し、引き出し部２１が所定位置まで引き出されたとき、引き出し部２１の係止部２５（第１ラッチ部）が、隣接する他の引き出し部２１の係合穴部４３（第２ラッチ部）にラッチされることによって、引き出し部２１が所定位置に係止される。これにより、上記実施形態では、光配線ユニットに複数設けられた光アダプタの高密度化を容易にすることができる。
【００５６】
また、上記実施形態の光配線ユニット２０では、係合穴部４３（第２ラッチ部）は、引き出し部２１が所定位置まで引き出されるときの引き出し部２１の移動量の分だけ、係止部２５（第１ラッチ部）に対して引き出し方向に離れて設けられている。これにより、上記実施形態では、引き出し部２１を所定位置まで引き出すだけで、係止部２５（第１ラッチ部）が隣接する係合穴部４３（第２ラッチ部）にラッチされることができる。
【００５７】
また、上記実施形態の光配線ユニット２０では、係止部２５（第１ラッチ部）は、隣接する引き出し部２１に向かって付勢されている。これにより、上記実施形態では、引き出し部２１を所定位置まで引き出すだけで、係止部２５（第１ラッチ部）が隣接する係合穴部４３（第２ラッチ部）にラッチされることができる。
【００５８】
また、上記実施形態の光配線ユニット２０では、第１ラッチ部は、係止部２５であり、第２ラッチ部は、係止部２５が係合する係合穴部４３である。これにより、上記実施形態では、引き出し部２１を所定位置まで引き出すだけで、係止部２５（第１ラッチ部）が隣接する係合穴部４３（第２ラッチ部）にラッチされることができる。
【００５９】
また、上記実施形態の光配線ユニット２０では、引き出し部２１の所定位置での係止を解除する係止解除機構をさらに有する。これにより、上記実施形態では、引き出すことで所定位置に係止された引き出し部２１を再び押し込むことができる。
【００６０】
係止解除機構は、係止部２５（第１ラッチ部）と係合穴部４３（第２ラッチ部）との間に差し込まれる介挿部３７を有する。これにより、上記実施形態では、隣接する係合穴部４３（第２ラッチ部）にラッチされた係止部２５（第１ラッチ部）のラッチを解除することができる。
【００６１】
＝＝＝その他の実施形態＝＝＝
＜係止部２５の変形例＞
図８は、係止部２５の変形例を示す図である。前述した実施形態（第１実施形態及び第２実施形態）の係止部２５では、係止片３１の係合突起３５が隣接する他の引き出し部２１の係合穴部４３にラッチすることで、隣接する他の引き出し部２１に対して引き出し部２１を係止していた。そして、係止片３１の係合突起３５は、後方ほど左側に突出するように形成されていた。つまり係合突起３５の左側（隣接する他の引き出し部２１側）の端面は、後方ほど左側に突出するテーパ面であった。しかし、図８に示すように、係止部２５の変形例では、係止片３１の係合突起３５は、前側と後側にそれぞれ円筒面（前側円筒面３５Ｘ及び後側円筒面３５Ｙ）を有する形状となっている。本変形例の係止部２５においても、前述した実施形態（第１実施形態及び第２実施形態）と同様に、係止片３１の係合突起３５が隣接する他の引き出し部２１の係合穴部４３にラッチすることで、隣接する他の引き出し部２１に対して引き出し部２１を係止することができる。なお、図８は、３つある引き出し部２１のうち、中央の引き出し部２１の引き出し状態を示している。
【００６２】
前述した実施形態（第１実施形態及び第２実施形態）では、介挿部材３７により、係止片３１の隣接する他の引き出し部２１の係合穴部４３へのラッチ状態を解除していたが、本変形例では介挿部材３７が不要となる。つまり、引き出し状態の引き出し部２１を強く押し込むことで、係止片３１の後側円筒面３５Ｙが係合穴部４３の縁をすべらせるようにして係止片３１を右側（ラッチ解除方向）に移動することができる。
【００６３】
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００６４】
１  光ケーブル、５  光ファイバ、１０  光接続箱、２０  光配線ユニット、
２１  引き出し部、２２  アダプタ部、
２３  光アダプタ、２４  光コネクタ、２５  係止部（第１ラッチ部）、
２６  本体部、２７  係止片収容孔、２７Ｇ  ガイド溝、
２８  介挿部収容孔、３０  当接部、
３１  係止片、３２  スプリング受け部、３３  介挿孔、３３Ｓ  係止片テーパ面、
３４  ガイド部、３５  係合突起、３５Ｘ  前側円筒面、３５Ｙ  後側円筒面、
３６  スプリング、３７  介挿部、
３８  ボタン、３９  突起部、４０  介挿部テーパ面、
４２  フレーム、４２Ｓ  側板部、４３  係合穴部（第２ラッチ部）、
４４  ケーブル束ね部、４５  挿入部、
４６  スライドレール部、４７  筐体側レール、４８  引き出し側レール、
４９  筐体、４９Ａ  クリップ部、５０  分岐部、
Ｃ  接続部、Ｒ  ラック、Ｓ  機器、Ｘ・Ｙ  建物、Ｚ  太径光ケーブル
【図１】
2019086693.tif 000003
【図２】
2019086693.tif 000004
【図３】
2019086693.tif 000005
【図４】
2019086693.tif 000006
【図５】
2019086693.tif 000007
【図６】
2019086693.tif 000008
【図７】
2019086693.tif 000009
【図８】
2019086693.tif 000010